【手続補正書】
【提出日】平成28年8月17日(2016.8.17)
【手続補正１】
【補正対象書類名】特許請求の範囲
【補正対象項目名】全文
【補正方法】変更
【補正の内容】
【特許請求の範囲】
【請求項１】
石灰化病変に衝撃波を送達するためのバルーンカテーテルであって、
細長いキャリアと、
前記細長いキャリア上に搭載されている可撓性バルーンであって、前記バルーンは、伝導性流体で充填可能である、可撓性バルーンと、
前記バルーン内における、前記細長いキャリア上の一対の電極と、
前記電極に結合された回路を伴う電源であって、前記電源は、前記電極に電圧パルスを供給し、各電圧パルスは、前記バルーン内の前記流体の中にアークを発生させ、電流を前記電極間に流れさせて、衝撃波を生成する、電源と
を備え、
前記電源は、各電圧パルスに応答して変化する、前記回路のパラメータを監視するためのセンサを含み、各電圧パルスの間に前記監視されたパラメータが所定の値に達したとき、前記センサは、前記電源にそのパルスに対して前記電極に供給された電圧を終了させる信号を発生させる、バルーンカテーテル。
【請求項２】
前記キャリアは、ガイドワイヤ管腔を有する、請求項１に記載のバルーンカテーテル。
【請求項３】
前記電源は、所定の遅延時間を伴う遅延タイマをさらに含み、前記遅延タイマは、前記センサ信号に応答してトリガーされており、前記電極に供給された電圧は、前記所定の遅延時間が切れた後に終了させられる、請求項１に記載のバルーンカテーテル。
【請求項４】
前記所定の遅延時間は、１００ナノ秒以上である、請求項３に記載のバルーンカテーテル。
【請求項５】
石灰化病変に衝撃波を送達するためのバルーンカテーテルであって、
細長いキャリアと、
前記細長いキャリア上に搭載されている可撓性バルーンであって、前記バルーンは、伝導性流体で充填可能である、可撓性バルーンと、
前記バルーン内における、前記細長いキャリア上の一対の電極と、
前記電極に結合されている電源であって、前記電源は、前記電極に電圧パルスを供給し、各電圧パルスは、前記バルーン内の前記流体の中にアークを発生させ、電流を前記電極間に流れさせて、衝撃波を生成する、電源と
を備え、
前記電源は、各電圧パルスの間に前記電極間の前記電流を検出するための電流センサを含み、各電圧パルスの間に前記電流が所定の値に達したとき、前記センサは、前記電源にそのパルスに対して前記電極に供給された電圧を終了させる信号を発生させる、バルーンカテーテル。
【請求項６】
前記所定の値は、５０アンペアである、請求項５に記載のバルーンカテーテル。
【請求項７】
前記キャリアは、ガイドワイヤ管腔を有する、請求項５に記載のバルーンカテーテル。
【請求項８】
前記電源は、所定の遅延時間を伴う遅延タイマをさらに含み、前記遅延タイマは、前記センサ信号に応答してトリガーされており、前記電極に供給された電圧は、前記所定の遅延時間が切れた後に終了させられる、請求項５に記載のバルーンカテーテル。
【請求項９】
前記所定の遅延時間は、１００ナノ秒以上である、請求項８に記載のバルーンカテーテル。
【請求項１０】
システムであって、
カテーテルであって、前記カテーテルは、
細長いキャリアと、
前記キャリアに対して密閉した関係で前記キャリアの周囲にあるバルーンであって、前記バルーンは、前記バルーンを膨張させる流体をその中に受け取るように配列されている、バルーンと、
前記バルーン内の第１および第２の電極であって、前記第１および第２の電極は、初期低電流においてそれらにわたって高電圧を受け取るように配列され、前記高電圧は、前記バルーン内の前記第１および第２の電極にわたって電気アークが生じることをもたらし、前記電気アークは、液体内の気泡、前記第１および第２の電極を通って流れる高電流、および前記バルーン内の機械的衝撃波を生成する、第１および第２の電極と
を含む、カテーテルと、
前記初期電流において前記高電圧を前記第１および第２の電極に提供し、前記第１および第２の電極を通る前記高電流に応答して、前記高電圧を終了させる、電源と
を備えている、システム。
【請求項１１】
前記電源は、前記第１および第２の電極を通って流れる電流を感知する電流センサを含む、請求項１０に記載のシステム。
【請求項１２】
前記電流センサは、前記第１および第２の電極を通って流れる前記電流が所定の限界に達したとき、前記電源に前記高電圧を終了させる、請求項１１に記載のシステム。
【請求項１３】
前記所定の限界は、約５０アンペアである、請求項１２に記載のシステム。
【請求項１４】
前記バルーン内の前記流体の温度を感知する、前記バルーン内の温度センサをさらに含み、前記電源は、前記温度センサにさらに応答する、請求項１０に記載のシステム。
【請求項１５】
前記温度センサは、前記流体の温度を制御するために、前記バルーン内の前記流体の温度が上昇することに応答して、前記電源に、前記第１および第２の電極に印加されるエネルギーを減少させる、請求項１４に記載のシステム。
【請求項１６】
前記温度センサは、前記バルーン内の前記流体の温度が周囲温度より上に摂氏２度を上回るまで上昇することに応答して、前記電源に、前記第１および第２の電極に印加されるエネルギーを減少させる、請求項１５に記載のシステム。
【請求項１７】
前記電源によって前記第１および第２の電極に印加されるエネルギーは、直列高電圧パルスの形態であり、前記温度センサは、前記電源が、前記直列高電圧パルスを一時的に終了させることによって、前記第１および第２の電極に印加されるエネルギーを減少させることをもたらす、請求項１５に記載のシステム。
【請求項１８】
前記電源によって前記第１および第２の電極に印加されるエネルギーは、直列高電圧パルスの形態であり、前記直列高電圧パルスは、パルス率を有し、前記温度センサは、前記電源が、前記直列高電圧パルスの前記パルス率を減少させることによって、前記第１および第２の電極に印加されるエネルギーを減少させることをもたらす、請求項１５に記載のシステム。
【請求項１９】
前記バルーンは、拡張バルーンである、請求項１０に記載のシステム。
【請求項２０】
前記拡張バルーンは、血管形成術バルーンである、請求項１９に記載のシステム。
【請求項２１】
前記第１および第２の電極を通る前記高電流に応答して、遅延時間を計測するタイマをさらに備え、前記電源は、前記遅延時間が計測された後に前記高電圧を終了させる、請求項１０に記載のシステム。
【請求項２２】
前記電源は、前記第１および第２の電極を通って流れる電流を感知する電流センサを含み、前記電流センサは、前記第１および第２の電極を通って流れる前記電流が所定の限界に達したとき、前記タイマに前記遅延時間を計測させる、請求項２１に記載のシステム。
【請求項２３】
前記所定の限界は、約５０アンペアである、請求項２２に記載のシステム。
【請求項２４】
前記電源は、電気パラメータの変化を検出するためのセンサを含み、前記電源は、前記センサに応答して前記高電圧を終了させる、請求項１０に記載のシステム。
【請求項２５】
システムであって、
カテーテルであって、前記カテーテルは、
細長いキャリアであって、前記キャリアは、ガイドワイヤ管腔を有する、キャリアと、
内面を有するバルーンであって、前記バルーンは、前記キャリアに対して密閉した関係で前記キャリアの周囲にあり、前記キャリアとともに、前記バルーンを膨張させる流体をその中に受け取るように配列されているチャネルを形成している、バルーンと、
第１および第２の電極であって、前記第１および第２の電極は、前記バルーン内で前記キャリアと前記バルーンの前記内面との間にあり、初期低電流においてそれらにわたって高電圧を受け取るように配列され、前記高電圧は、前記バルーン内の第１および第２の電極にわたって電気アークが生じることをもたらし、前記電気アークは、液体内の気泡、前記第１および第２の電極を通って流れる高電流、および前記バルーン内の機械的衝撃波を生成する、第１および第２の電極と
を含む、カテーテルと、
前記初期電流において前記高電圧を前記第１および第２の電極に提供し、前記第１および第２の電極を通る前記高電流に応答して、前記高電圧を終了させる、電源と
を備えている、システム。
【請求項２６】
前記電源は、電気パラメータの変化を検出するためのセンサを含み、前記電源は、前記センサに応答して前記高電圧を終了させる、請求項２５に記載のシステム。
【請求項２７】
前記センサは、前記第１の電極と前記第２の電極との間に流れる電流を感知する、請求項２６に記載のシステム。
【請求項２８】
システムであって、
カテーテルであって、前記カテーテルは、
細長いキャリアと、
前記キャリアに対して密閉した関係で前記キャリアの周囲にあるバルーンであって、前記バルーンを膨張させる流体をその中に受け取るように配列されている、バルーンと、
前記バルーン内の第１および第２の電極であって、前記第１および第２の電極は、初期低電流においてそれらにわたって高電圧を受け取るように配列され、前記高電圧は、前記バルーン内の第１および第２の電極にわたって電気アークが生じることをもたらし、前記電気アークは、液体内の蒸気の気泡、前記第１および第２の電極を通って流れる高電流、および前記バルーン内の機械的衝撃波を生成し、前記蒸気の気泡は、前記流体の温度を上昇させる、第１および第２の電極と
を含む、カテーテルと、
前記バルーン内の前記流体の温度を感知する、前記バルーン内の温度センサと、
前記初期電流において前記高電圧を前記第１および第２の電極に提供し、前記バルーン内の前記流体の感知された温度に応答して、前記高電圧によって提供されるエネルギーを制御する電源と
を備えている、システム。
【請求項２９】
前記温度センサは、前記流体の温度を制御するために、前記バルーン内の前記流体の温度が上昇することに応答して、前記電源に、前記第１および第２の電極に印加されるエネルギーを減少させる、請求項２８に記載のシステム。
【請求項３０】
前記温度センサは、前記バルーン内の前記流体の温度が周囲温度より上に約摂氏２度まで上昇することに応答して、前記電源に、前記第１および第２の電極に印加されるエネルギーを減少させる、請求項２９に記載のシステム。
【請求項３１】
前記電源によって前記第１および第２の電極に印加されるエネルギーは、直列高電圧パルスの形態であり、前記直列高電圧パルスの各パルスは、パルス幅を有し、前記温度センサは、前記電源が、前記直列高電圧パルスの前記パルス幅を減少させることによって、前記第１および第２の電極に印加されるエネルギーを減少させることをもたらす、請求項２９に記載のシステム。
【請求項３２】
前記電源によって前記第１および第２の電極に印加されるエネルギーは、直列高電圧パルスの形態であり、前記直列高電圧パルスの各パルスは、振幅を有し、前記温度センサは、前記電源が、前記直列高電圧パルスの前記振幅を減少させることによって、前記第１および第２の電極に印加されるエネルギーを減少させることをもたらす、請求項２９に記載のシステム。
【請求項３３】
前記電源によって前記第１および第２の電極に印加されるエネルギーは、直列高電圧パルスの形態であり、前記温度センサは、前記電源が、前記直列高電圧パルスを一時的に終了させることによって、前記第１および第２の電極に印加されるエネルギーを減少させることをもたらす、請求項２９に記載のシステム。
【請求項３４】
前記電源によって前記第１および第２の電極に印加されるエネルギーは、直列高電圧パルスの形態であり、前記直列高電圧パルスは、パルス率を有し、前記温度センサは、前記電源が、前記直列高電圧パルスの前記パルス率を減少させることによって、前記第１および第２の電極に印加されるエネルギーを減少させることをもたらす、請求項２９に記載のシステム。
【請求項３５】
前記キャリアは、ガイドワイヤ管腔を有し、前記バルーンは、内面を有し、前記バルーンは、前記キャリアとともに、前記バルーンを膨張させる前記流体をその中に受け取るように配列されているチャネルを形成し、前記第１および第２の電極は、前記キャリアと前記バルーンの前記内面との間にある、請求項２８に記載のシステム。
【請求項３６】
システムであって、
カテーテルであって、前記カテーテルは、
細長いキャリアと、
前記キャリアに対して密閉した関係で前記キャリアの周囲にあるバルーンであって、前記バルーンは、前記バルーンを膨張させる流体をその中に受け取るように配列されている、バルーンと、
前記バルーン内の第１および第２の電極と
を含む、カテーテルと、
前記第１および第２の電極にわたって電気アークを形成するために、前記第１および第２の電極にわたって電圧を印加するための手段と、
前記第１および第２の電極を通る電流を感知するための手段と、
前記電気アークが前記第１および第２の電極にわたって形成された後に、前記第１および第２の電極を通る感知された電流に応答して、前記第１および第２の電極にわたる前記電圧の印加を変化させるための手段と
を備えている、システム。
【請求項３７】
前記第１および第２の電極にわたる前記電圧の印加を終了させるための手段をさらに備えている、請求項３６に記載のシステム。
【請求項３８】
高電圧の印加は、前記第１および第２の電極を通って流れる前記電流が所定の限界に達したとき、終了させられる、請求項３７に記載のシステム。
【請求項３９】
前記所定の限界は、約５０アンペアである、請求項３８に記載のシステム。
【請求項４０】
前記バルーン内の前記流体の温度を感知するための手段と、前記流体の感知された温度に応答して、前記第１および第２の電極にわたる前記電圧の印加を変化させるための手段とをさらに備えている、請求項３６に記載のシステム。
【請求項４１】
前記第１および第２の電極に印加されるエネルギーは、前記流体の温度を制御するために、前記バルーン内の前記流体の温度が上昇することに応答して減少させられる、請求項４０に記載のシステム。
【請求項４２】
前記第１および第２の電極に印加されるエネルギーは、前記バルーン内の前記流体の温度が周囲温度より上に摂氏２度を上回るまで上昇することに応答して減少させられる、請求項４１に記載のシステム。
【請求項４３】
エネルギーは、直列高電圧パルスの形態で印加され、前記第１および第２の電極に印加されるエネルギーは、前記直列高電圧パルスを一時的に終了させることによって減少させられる、請求項４０に記載のシステム。
【請求項４４】
エネルギーは、直列高電圧パルスの形態で印加され、前記直列高電圧パルスは、パルス率を有し、前記第１および第２の電極に印加されるエネルギーは、前記直列高電圧パルスの前記パルス率を減少させることによって減少させられる、請求項４０に記載のシステム。
【請求項４５】
前記第１および第２の電極を通る感知された電流に応答して、遅延時間を計測するための手段と、前記遅延時間を計測した後に、前記第１および第２の電極にわたる前記電圧の印加を終了させるための手段とをさらに備えている、請求項３６に記載のシステム。
【請求項４６】
前記遅延時間は、前記第１および第２の電極を通って流れる前記電流が所定の限界に達したとき、計測される、請求項４５に記載のシステム。
【請求項４７】
前記所定の限界は、約５０アンペアである、請求項４６に記載のシステム。
【請求項４８】
システムであって、
カテーテルであって、前記カテーテルは、
細長いキャリアと、
前記キャリアに対して密閉した関係で前記キャリアの周囲にあるバルーンであって、前記バルーンは、前記バルーンを膨張させる流体をその中に受け取るように配列されている、バルーンと、
前記バルーン内の第１および第２の電極と
を含む、カテーテルと、
前記第１および第２の電極にわたって電気アークを形成するために、前記第１および第２の電極にわたって電圧の形態でエネルギーを印加するための手段と、
前記バルーン内の前記流体の温度を感知するための手段と、
前記バルーン内の前記流体の感知された温度に応答して、前記第１および第２の電極にわたる前記エネルギーの印加を変化させるための手段と
を備えている、システム。
【請求項４９】
前記第１および第２の電極に印加されるエネルギーは、前記バルーン内の前記流体の温度が上昇することに応答して減少させられる、請求項４８に記載のシステム。
【請求項５０】
前記第１および第２の電極に印加されるエネルギーは、前記バルーン内の前記流体の温度が周囲温度より上に約摂氏２度まで上昇することに応答して減少させられる、請求項４９に記載のシステム。
【請求項５１】
前記エネルギーは、直列高電圧パルスの形態で前記第１および第２の電極に印加され、前記直列高電圧パルスの各パルスは、パルス幅を有し、前記第１および第２の電極に印加されるエネルギーは、前記直列高電圧パルスの前記パルス幅を減少させることによって減少させられる、請求項５０に記載のシステム。
【請求項５２】
前記エネルギーは、直列高電圧パルスの形態で前記第１および第２の電極に印加され、前記直列高電圧パルスの各パルスは、振幅を有し、前記第１および第２の電極に印加されるエネルギーは、前記直列高電圧パルスの前記振幅を減少させることによって減少させられる、請求項５０に記載のシステム。
【請求項５３】
前記エネルギーは、直列高電圧パルスの形態で印加され、前記第１および第２の電極に印加されるエネルギーは、前記直列高電圧パルスを一時的に終了させることによって減少させられる、請求項４８に記載のシステム。
【請求項５４】
前記エネルギーは、直列高電圧パルスの形態で印加され、前記直列高電圧パルスは、パルス率を有し、前記第１および第２の電極に印加されるエネルギーは、前記直列高電圧パルスの前記パルス率を減少させることによって減少させられる、請求項４８に記載のシステム。
【請求項５５】
体液内の閉塞を治療するシステムであって、
初期低電流においてそれらにわたって高電圧を受け取るように配列されている第１および第２の電極を含むカテーテルであって、前記高電圧は、体液内の前記第１および第２の電極にわたって電気アークが生じることをもたらし、前記電気アークは、前記体液内の気泡、前記第１および第２の電極を通って流れる高電流、および前記体液内の機械的衝撃波を生成する、カテーテルと、
前記初期電流において前記高電圧を前記第１および第２の電極に提供し、前記第１および第２の電極を通る前記高電流に応答して、前記高電圧を終了させる、電源と
を備えている、システム。
【請求項５６】
前記電源によって前記第１および第２の電極に印加されるエネルギーは、直列高電圧パルスの形態であり、前記直列高電圧パルスは、パルス率を有し、前記電源は、前記直列高電圧パルスの前記パルス率を変化させることによって、前記第１および第２の電極に印加されるエネルギーをさらに制御する、請求項５５に記載のシステム。
【請求項５７】
前記電源によって前記第１および第２の電極に印加されるエネルギーは、直列高電圧パルスの形態であり、前記直列高電圧パルスの各パルスは、振幅を有し、前記電源は、前記直列高電圧パルスの前記振幅を変化させることによって、前記第１および第２の電極に印加されるエネルギーをさらに制御する、請求項５５に記載のシステム。
【請求項５８】
前記第１および第２の電極を通る前記高電流に応答して、遅延時間を計測するタイマをさらに備え、前記電源は、前記遅延時間が測定された後に前記高電圧を終了させる、請求項５５に記載のシステム。
【請求項５９】
前記電源は、前記第１および第２の電極を通って流れる電流を感知する電流センサを含み、前記電流センサは、前記第１および第２の電極を通って流れる前記電流が所定の限界に達したとき、前記タイマに前記遅延時間を計測させる、請求項５８に記載のシステム。
【請求項６０】
前記所定の限界は、約５０アンペアである、請求項５９に記載のシステム。
【請求項６１】
前記電源は、電気パラメータの変化を検出するためのセンサを含み、前記電源は、前記センサに応答して前記高電圧を終了させる、請求項５５に記載のシステム。
【請求項６２】
システムであって、
バルーン内に第１および第２の電極を含むカテーテルと、
前記第１および第２の電極にわたって電気アークを形成するために、前記第１および第２の電極にわたって電圧を印加するための手段と、
前記第１および第２の電極を通る電流を感知するための手段と、
前記電気アークが前記第１および第２の電極にわたって形成された後に、前記第１および第２の電極を通る感知された電流に応答して、前記第１および第２の電極にわたる前記電圧の印加を変化させるための手段と
を備えている、システム。
【請求項６３】
エネルギーは、直列高電圧パルスの形態で印加され、前記直列高電圧パルスは、パルス率を有し、前記第１および第２の電極に印加されるエネルギーは、前記直列高電圧パルスの前記パルス率を変化させることによって制御される、請求項６２に記載のシステム。
【請求項６４】
エネルギーは、直列高電圧パルスの形態で印加され、前記直列高電圧パルスは、振幅を有し、前記第１および第２の電極に印加されるエネルギーは、前記直列高電圧パルスの前記振幅を変化させることによって制御される、請求項６２に記載のシステム。
【請求項６５】
前記第１および第２の電極を通る感知された電流に応答して、遅延時間を計測するための手段と、前記遅延時間を計測した後に、前記第１および第２の電極にわたる前記電圧の印加を終了させるための手段とをさらに備えている、請求項６２に記載のシステム。
【請求項６６】
前記遅延時間は、前記第１および第２の電極を通って流れる前記電流が所定の限界に達したとき、計測される、請求項６５に記載のシステム。
【請求項６７】
前記所定の限界は、約５０アンペアである、請求項６６に記載のシステム。
【手続補正２】
【補正対象書類名】明細書
【補正対象項目名】００４４
【補正方法】変更
【補正の内容】
【００４４】
本方法はさらに、第１および第２の電極を通る感知された電流に応答して、遅延時間を計測するステップを含み得、変化させるステップは、遅延時間を計測した後に、第１および第２の電極にわたる電圧の印加を終了させることを含み得る。遅延時間は、第１および第２の電極を通って流れる電流が所定の限界に達したとき、計測され得る。所定の限界は、約５０アンペアであり得る。
本願明細書は、例えば、以下の項目も提供する。
（項目１）
カテーテルであって、前記カテーテルは、
細長いキャリアと、
前記キャリアに対して密閉した関係で前記キャリアの周囲にあるバルーンであって、前記バルーンは、前記バルーンを膨張させる流体をその中に受け取るように配列されている、バルーンと、
前記バルーン内の第１および第２の電極であって、前記第１および第２の電極は、初期低電流においてそれらにわたって高電圧を受け取るように配列され、前記高電圧は、前記バルーン内の前記第１および第２の電極にわたって電気アークが生じることをもたらし、前記電気アークは、液体内の気泡、前記第１および第２の電極を通って流れる高電流、および前記バルーン内の機械的衝撃波を生成する、第１および第２の電極と
を含む、カテーテルと、
前記初期電流において前記高電圧を前記第１および第２の電極に提供し、前記第１および第２の電極を通る前記高電流に応答して、前記高電圧を終了させる、電源と
を備えている、システム。
（項目２）
前記電源は、前記第１および第２の電極を通って流れる電流を感知する電流センサを含む、項目１に記載のシステム。
（項目３）
前記電流センサは、前記第１および第２の電極を通って流れる前記電流が所定の限界に達したとき、前記電源に前記高電圧を終了させる、項目２に記載のシステム。
（項目４）
前記所定の限界は、約５０アンペアである、項目３に記載のシステム。
（項目５）
前記バルーン内の前記流体の温度を感知する、前記バルーン内の温度センサをさらに含み、前記電源は、前記温度センサにさらに応答する、項目１に記載のシステム。
（項目６）
前記温度センサは、前記流体の温度を制御するために、前記バルーン内の前記流体の温度が上昇することに応答して、前記電源に、前記第１および第２の電極に印加されるエネルギーを減少させる、項目５に記載のシステム。
（項目７）
前記温度センサは、前記バルーン内の前記流体の温度が周囲温度より上に摂氏２度を上回るまで上昇することに応答して、前記電源に、前記第１および第２の電極に印加されるエネルギーを減少させる、項目６に記載のシステム。
（項目８）
前記電源によって前記第１および第２の電極に印加されるエネルギーは、直列高電圧パルスの形態であり、前記温度センサは、前記電源が、前記直列高電圧パルスを一時的に終了させることによって、前記第１および第２の電極に印加されるエネルギーを減少させることをもたらす、項目６に記載のシステム。
（項目９）
前記電源によって前記第１および第２の電極に印加されるエネルギーは、直列高電圧パルスの形態であり、前記直列高電圧パルスは、パルス率を有し、前記温度センサは、前記電源が、前記直列高電圧パルスの前記パルス率を減少させることによって、前記第１および第２の電極に印加されるエネルギーを減少させることをもたらす、項目６に記載のシステム。
（項目１０）
前記バルーンは、拡張バルーンである、項目１に記載のシステム。
（項目１１）
前記拡張バルーンは、血管形成術バルーンである、項目１０に記載のシステム。
（項目１２）
前記第１および第２の電極を通る前記高電流に応答して、遅延時間を計測するタイマをさらに備え、前記電源は、前記遅延時間が計測された後に前記高電圧を終了させる、項目１に記載のシステム。
（項目１３）
前記電源は、前記第１および第２の電極を通って流れる電流を感知する電流センサを含み、前記電流センサは、前記第１および第２の電極を通って流れる前記電流が所定の限界に達したとき、前記タイマに前記遅延時間を計測させる、項目１２に記載のシステム。
（項目１４）
前記所定の限界は、約５０アンペアである、項目１３に記載のシステム。
（項目１５）
カテーテルであって、前記カテーテルは、
細長いキャリアであって、前記キャリアは、ガイドワイヤ管腔を有する、キャリアと、
内面を有するバルーンであって、前記バルーンは、前記キャリアに対して密閉した関係で前記キャリアの周囲にあり、前記キャリアとともに、前記バルーンを膨張させる流体をその中に受け取るように配列されているチャネルを形成している、バルーンと、
第１および第２の電極であって、前記第１および第２の電極は、前記バルーン内で前記キャリアと前記バルーンの前記内面との間にあり、初期低電流においてそれらにわたって高電圧を受け取るように配列され、前記高電圧は、前記バルーン内の第１および第２の電極にわたって電気アークが生じることをもたらし、前記電気アークは、液体内の気泡、前記第１および第２の電極を通って流れる高電流、および前記バルーン内の機械的衝撃波を生成する、第１および第２の電極と
を含むカテーテルと、
前記初期電流において前記高電圧を前記第１および第２の電極に提供し、前記第１および第２の電極を通る前記高電流に応答して、前記高電圧を終了させる、電源と
を備えている、システム。
（項目１６）
カテーテルであって、前記カテーテルは、
細長いキャリアと、
前記キャリアに対して密閉した関係で前記キャリアの周囲にあるバルーンであって、前記バルーンを膨張させる流体をその中に受け取るように配列されている、バルーンと、
前記バルーン内の第１および第２の電極であって、前記第１および第２の電極は、初期低電流においてそれらにわたって高電圧を受け取るように配列され、前記高電圧は、前記バルーン内の第１および第２の電極にわたって電気アークが生じることをもたらし、前記電気アークは、液体内の蒸気の気泡、前記第１および第２の電極を通って流れる高電流、および前記バルーン内の機械的衝撃波を生成し、前記蒸気の気泡は、前記流体の温度を上昇させる、第１および第２の電極と
を含む、カテーテルと、
前記バルーン内の前記流体の温度を感知する、前記バルーン内の温度センサと、
前記初期電流において前記高電圧を前記第１および第２の電極に提供し、前記バルーン内の前記流体の感知された温度に応答して、前記高電圧によって提供されるエネルギーを制御する電源と
を備えている、システム。
（項目１７）
前記温度センサは、前記流体の温度を制御するために、前記バルーン内の前記流体の温度が上昇することに応答して、前記電源に、前記第１および第２の電極に印加されるエネルギーを減少させる、項目１６に記載のシステム。
（項目１８）
前記温度センサは、前記バルーン内の前記流体の温度が周囲温度より上に約摂氏２度まで上昇することに応答して、前記電源に、前記第１および第２の電極に印加されるエネルギーを減少させる、項目１７に記載のシステム。
（項目１９）
前記電源によって前記第１および第２の電極に印加されるエネルギーは、直列高電圧パルスの形態であり、前記直列高電圧パルスの各パルスは、パルス幅を有し、前記温度センサは、前記電源が、前記直列高電圧パルスの前記パルス幅を減少させることによって、前記第１および第２の電極に印加されるエネルギーを減少させることをもたらす、項目１７に記載のシステム。
（項目２０）
前記電源によって前記第１および第２の電極に印加されるエネルギーは、直列高電圧パルスの形態であり、前記直列高電圧パルスの各パルスは、振幅を有し、前記温度センサは、前記電源が、前記直列高電圧パルスの前記振幅を減少させることによって、前記第１および第２の電極に印加されるエネルギーを減少させることをもたらす、項目１７に記載のシステム。
（項目２１）
前記電源によって前記第１および第２の電極に印加されるエネルギーは、直列高電圧パルスの形態であり、前記温度センサは、前記電源が、前記直列高電圧パルスを一時的に終了させることによって、前記第１および第２の電極に印加されるエネルギーを減少させることをもたらす、項目１７に記載のシステム。
（項目２２）
前記電源によって前記第１および第２の電極に印加されるエネルギーは、直列高電圧パルスの形態であり、前記直列高電圧パルスは、パルス率を有し、前記温度センサは、前記電源が、前記直列高電圧パルスの前記パルス率を減少させることによって、前記第１および第２の電極に印加されるエネルギーを減少させることをもたらす、項目１７に記載のシステム。
（項目２３）
前記キャリアは、ガイドワイヤ管腔を有し、前記バルーンは、内面を有し、前記バルーンは、前記キャリアとともに、前記バルーンを膨張させる前記流体をその中に受け取るように配列されているチャネルを形成し、前記第１および第２の電極は、前記キャリアと前記バルーンの前記内面との間にある、項目１６に記載のシステム。
（項目２４）
カテーテルを提供することであって、前記カテーテルは、
細長いキャリアと、
前記キャリアに対して密閉した関係で前記キャリアの周囲にあるバルーンであって、前記バルーンは、前記バルーンを膨張させる流体をその中に受け取るように配列されている、バルーンと、
前記バルーン内の第１および第２の電極と
を含む、ことと、
前記流体を前記バルーンに導入することにより、前記バルーンを膨張させることと、
前記第１および第２の電極にわたって電圧を印加することにより、前記第１および第２の電極にわたって電気アークを形成することと、
前記第１および第２の電極を通る電流を感知することと、
前記電気アークが前記第１および第２の電極にわたって形成された後に、前記第１および第２の電極を通る感知された電流に応答して、前記第１および第２の電極にわたる前記電圧の印加を変化させることと
を含む、方法。
（項目２５）
前記変化させるステップは、前記第１および第２の電極にわたる前記電圧の印加を終了させることを含む、項目２４に記載の方法。
（項目２６）
前記高電圧の印加は、前記第１および第２の電極を通って流れる前記電流が所定の限界に達したとき、終了させられる、項目２５に記載の方法。
（項目２７）
前記所定の限界は、約５０アンペアである、項目２６に記載の方法。
（項目２８）
前記バルーン内の前記流体の温度を感知するステップをさらに含み、前記変化させるステップは、前記流体の感知された温度に応答して、前記第１および第２の電極にわたる前記電圧の印加を変化させることを含む、項目２４に記載の方法。
（項目２９）
前記変化させるステップは、前記流体の温度を制御するために、前記バルーン内の前記流体の温度が上昇することに応答して、前記第１および第２の電極に印加されるエネルギーを減少させることを含む、項目２８に記載の方法。
（項目３０）
前記第１および第２の電極に印加されるエネルギーは、前記バルーン内の前記流体の温度が周囲温度より上に摂氏２度を上回るまで上昇することに応答して減少させられる、項目２９に記載の方法。
（項目３１）
前記印加するステップは、直列高電圧パルスの形態でエネルギーを印加することを含み、前記変化させるステップは、前記直列高電圧パルスを一時的に終了させることによって、前記第１および第２の電極に印加されるエネルギーを減少させることをさらに含む、項目２８に記載の方法。
（項目３２）
前記印加するステップは、直列高電圧パルスの形態でエネルギーを印加することを含み、前記直列高電圧パルスは、パルス率を有し、前記変化させるステップは、前記直列高電圧パルスの前記パルス率を減少させることによって、前記第１および第２の電極に印加されるエネルギーを減少させることをさらに含む、項目２８に記載の方法。
（項目３３）
前記第１および第２の電極を通る感知された電流に応答して、遅延時間を計測するステップをさらに含み、前記変化させるステップは、前記遅延時間を計測した後に、前記第１および第２の電極にわたる前記電圧の印加を終了させることを含む、項目２４に記載の方法。
（項目３４）
前記遅延時間は、前記第１および第２の電極を通って流れる前記電流が所定の限界に達したとき、計測される、項目３３に記載の方法。
（項目３５）
前記所定の限界は、約５０アンペアである、項目３４に記載の方法。
（項目３６）
カテーテルを提供することであって、前記カテーテルは、
細長いキャリアと、
前記キャリアに対して密閉した関係で前記キャリアの周囲にあるバルーンであって、前記バルーンは、前記バルーンを膨張させる流体をその中に受け取るように配列されている、バルーンと、
前記バルーン内の第１および第２の電極と
を含む、ことと、
前記流体を前記バルーンに導入することにより、前記バルーンを膨張させることと、
前記第１および第２の電極にわたって電圧の形態でエネルギーを印加することにより、前記第１および第２の電極にわたって電気アークを形成することと、
前記バルーン内の前記流体の温度を感知することと、
前記バルーン内の前記流体の感知された温度に応答して、前記第１および第２の電極にわたる前記エネルギーの印加を変化させることと
を含む、方法。
（項目３７）
前記変化させるステップは、前記バルーン内の前記流体の温度が上昇することに応答して、前記第１および第２の電極に印加されるエネルギーを減少させることを含む、項目３６に記載の方法。
（項目３８）
前記変化させるステップは、前記バルーン内の前記流体の温度が周囲温度より上に約摂氏２度まで上昇することに応答して、前記第１および第２の電極に印加されるエネルギーを減少させることを含む、項目３７に記載の方法。
（項目３９）
前記印加するステップは、直列高電圧パルスの形態でエネルギーを前記第１および第２の電極に印加することを含み、前記直列高電圧パルスの各パルスは、パルス幅を有し、前記変化させるステップは、前記直列高電圧パルスの前記パルス幅を減少させることによって、前記第１および第２の電極に印加されるエネルギーを減少させることを含む、項目３８に記載の方法。
（項目４０）
前記印加するステップは、直列高電圧パルスの形態でエネルギーを前記第１および第２の電極に印加することを含み、前記直列高電圧パルスの各パルスは、振幅を有し、前記変化させるステップは、前記直列高電圧パルスの前記振幅を減少させることによって、前記第１および第２の電極に印加されるエネルギーを減少させることを含む、項目３８に記載の方法。
（項目４１）
前記印加するステップは、直列高電圧パルスの形態でエネルギーを印加することを含み、前記変化させるステップは、前記直列高電圧パルスを一時的に終了させることによって、前記第１および第２の電極に印加されるエネルギーを減少させることをさらに含む、項目３６に記載の方法。
（項目４２）
前記印加するステップは、直列高電圧パルスの形態でエネルギーを印加することを含み、前記直列高電圧パルスは、パルス率を有し、前記変化させるステップは、前記直列高電圧パルスの前記パルス率を減少させることによって、前記第１および第２の電極に印加されるエネルギーを減少させることをさらに含む、項目３６に記載の方法。
（項目４３）
体液内の閉塞を治療するシステムであって、
初期低電流においてそれらにわたって高電圧を受け取るように配列されている第１および第２の電極を含むカテーテルであって、前記高電圧は、体液内の前記第１および第２の電極にわたって電気アークが生じることをもたらし、前記電気アークは、前記体液内の気泡、前記第１および第２の電極を通って流れる高電流、および前記体液内の機械的衝撃波を生成する、カテーテルと、
前記初期電流において前記高電圧を前記第１および第２の電極に提供し、前記第１および第２の電極を通る前記高電流に応答して、前記高電圧を終了させる、電源と
を備えている、システム。
（項目４４）
前記電源によって前記第１および第２の電極に印加されるエネルギーは、直列高電圧パルスの形態であり、前記直列高電圧パルスは、パルス率を有し、前記電源は、前記直列高電圧パルスの前記パルス率を変化させることによって、前記第１および第２の電極に印加されるエネルギーをさらに制御する、項目４３に記載のシステム。
（項目４５）
前記電源によって前記第１および第２の電極に印加されるエネルギーは、直列高電圧パルスの形態であり、前記直列高電圧パルスの各パルスは、振幅を有し、前記電源は、前記直列高電圧パルスの前記振幅を変化させることによって、前記第１および第２の電極に印加されるエネルギーをさらに制御する、項目４３に記載のシステム。
（項目４６）
前記第１および第２の電極を通る前記高電流に応答して、遅延時間を計測するタイマをさらに備え、前記電源は、前記遅延時間が測定された後に前記高電圧を終了させる、項目４３に記載のシステム。
（項目４７）
前記電源は、前記第１および第２の電極を通って流れる電流を感知する電流センサを含み、前記電流センサは、前記第１および第２の電極を通って流れる前記電流が所定の限界に達したとき、前記タイマに前記遅延時間を計測させる、項目４６に記載のシステム。
（項目４８）
前記所定の限界は、約５０アンペアである、項目４７に記載のシステム。
（項目４９）
バルーン内に第１および第２の電極を含むカテーテルを提供することと、
前記第１および第２の電極にわたって電圧を印加することにより、前記第１および第２の電極にわたって電気アークを形成することと、
前記第１および第２の電極を通る電流を感知することと、
前記電気アークが前記第１および第２の電極にわたって形成された後に、前記第１および第２の電極を通る感知された電流に応答して、前記第１および第２の電極にわたる前記電圧の印加を変化させることと
を含む、方法。
（項目５０）
前記印加するステップは、直列高電圧パルスの形態でエネルギーを印加することを含み、前記直列高電圧パルスは、パルス率を有し、前記変化させるステップは、前記直列高電圧パルスの前記パルス率を変化させることによって、前記第１および第２の電極に印加されるエネルギーを制御することをさらに含む、項目４９に記載の方法。
（項目５１）
前記印加するステップは、直列高電圧パルスの形態でエネルギーを印加することを含み、前記直列高電圧パルスは、振幅を有し、前記変化させるステップは、前記直列高電圧パルスの前記振幅を変化させることによって、前記第１および第２の電極に印加されるエネルギーを制御することをさらに含む、項目４９に記載の方法。
（項目５２）
前記第１および第２の電極を通る感知された電流に応答して、遅延時間を計測するステップをさらに含み、前記変化させるステップは、前記遅延時間を計測した後に、前記第１および第２の電極にわたる前記電圧の印加を終了させることを含む、項目４９に記載の方法。
（項目５３）
前記遅延時間は、前記第１および第２の電極を通って流れる前記電流が所定の限界に達したとき、計測される、項目５２に記載の方法。
（項目５４）
前記所定の限界は、約５０アンペアである、項目５３に記載の方法。